(57)【特許請求の範囲】
【請求項１】
画像データと当該画像データの撮影時に付与されるタグ情報が格納されている複数の画像ファイルが記録されている画像記録媒体の複数の画像データを順次表示する表示手段を備えた画像表示装置において、
前記表示手段はタグ情報に基づいて選択する特定の画像ファイルの画像データのみを順次表示する第１の表示モードを有し、
前記第１の表示モードにおいて前記タグ情報に基づいて各撮影日の撮影時間の最も早い画像ファイルが選択されることを特徴とする画像表示装置。
【請求項２】
前記表示手段はさらに前記画像記録媒体の全ての画像ファイルの画像データを順次表示する第２の表示モードを有し、
回転角に応じて表示モードを指定するジョグシャトルを備え、
前記ジョグシャトルの第１の表示モードを指定する回転角は第２の表示モードを指定する回転角より大きいことを特徴とする請求項１に記載の画像表示装置。
【請求項３】
前記表示手段はさらに前記画像記録媒体の全ての画像ファイルの画像データを順次表示する第２の表示モードを有し、
第２の表示モードに遷移させる操作を行う送りキーと第１の表示モードに遷移させる操作を行う早送りキーとを備えたことを特徴とする請求項１に記載の画像表示装置。
【請求項４】
前記第１の表示モードにおいて前記タグ情報に基づいて前回に撮影された画像ファイルとの撮影間隔が所定時間より長い画像ファイルが選択されることを特徴とする請求項１乃至３いずれかに記載の画像表示装置。
【発明の詳細な説明】
【０００１】
【発明の属する技術分野】
本発明は、画像記録媒体に記録されている画像データを表示する画像表示装置に関するものである。
【０００２】
【従来の技術】
画像表示装置において、複数の画像ファイルが記録されている画像記録媒体から目的の画像ファイルを抽出する方法として、キー情報を入力することによる方法がある。この方法においては、各画像ファイルに対してキー情報（コード情報）が関連づけられていることが必要である。
【０００３】
また、キー情報からの抽出だけではなく、ブラウジング機能を利用して目的の画像を抽出することができる。尚、ブラウジング機能とは、表示画面に画像を１枚１枚表示する機能のことをいう。つまり、目的の画像が表示された時点でブラウジングを停止させる又はブラウジングを続行しないことで、操作者の目視判断で目的の画像ファイルを抽出することができる。
【０００４】
【発明が解決しようとする課題】
しかしながら、上記キー情報を入力することにより目的の画像ファイルを抽出する方法においては、キー情報の体系化、キー情報の付与作業を行わなければならないが、これらの作業は大変な労力を有する。特に、デジタルカメラにより撮影した画像データについては、撮影時にキー情報を付与（入力）する必要がある。この作業は一般に煩雑であり、また、キー情報の付与にとらわれているとシャッターチャンスを逃してしまう。
【０００５】
一方、上記ブラウジング機能を利用して目的の画像を抽出する方法においては、数十枚の画像データから目的の画像を抽出する場合であれば実用的で確実に目的の画像を抽出できる。しかし、対象となる画像データの枚数が増えると、ブラウジングに大変な時間がかかり実用的ではない。特にデジタルカメラの場合は、ＤＰＥ（現象、焼付け、引き伸ばし）が不要ということもあって、銀塩カメラと比較してたくさんの撮影を行うことが多い。よって、画像データの数が多くなりがちである。
【０００６】
本発明は、上記問題点を鑑みて、キー情報を付与する手間がかからず、さらに画像データの枚数が多くても短時間で確実に目的の画像を抽出できる画像表示装置を提供することを目的とする。
【０００７】
【課題を解決するための手段】
上記目的を達成するために、請求項１に記載の発明は、画像データと当該画像データの撮影時に付与されるタグ情報が格納されている複数の画像ファイルが記録されている画像記録媒体の複数の画像データを順次表示する表示手段を備えた画像表示装置において、前記表示手段はタグ情報に基づいて選択する特定の画像ファイルの画像データのみを順次表示する第１の表示モードを有し、前記第１の表示モードにおいて前記タグ情報に基づいて各撮影日の撮影時間の最も早い画像ファイルが選択される構成とする。
【０００８】
上記構成においては、第１の表示モードで、選択された画像ファイルのみが順次表示されるので、全ての画像ファイルが表示される場合よりも、短時間で画像のブラウジングを行うことができる。また、表示する画像ファイルは、タグ情報に基づいて選択するので、ただ表示画像の枚数を減らした場合とは異なり、観察者にとってより必要な画像のみを表示する制御を行うことが可能となる。さらに、第１の表示モードで、各撮影日に最初に撮影された画像データのみが表示される。よって、操作者は目的の画像と同一の撮影日に撮影された画像データが表示された時点で、表示モードを第１の表示モードから第２の表示モードに切り替えて目的の画像を抽出することができる。この場合は、全画像を表示させてその中から目的の画像を抽出する場合より、短時間で抽出することができる。
【０００９】
請求項２に記載の発明は、請求項１に記載の画像表示装置において、前記表示手段はさらに前記画像記録媒体の全ての画像ファイルの画像データを順次表示する第２の表示モードを有し、回転角に応じて表示モードを指定するジョグシャトルを備え、前記ジョグシャトルの第１の表示モードを指定する回転角は第２の表示モードを指定する回転角より大きい構成とする。
【００１０】
ジョググシャトル自身は、回転操作されるものである。そして、どの回転角度で保持されているかに応じた制御が上記構成の場合は画像表示装置でなされることになる。上記構成においては、表示モードの指示をジョグシャトルを用いて切り替えることができる。ジョグシャトルによると、手が保持している回転角に対応した表示モードの表示が画面上でなされることになり、キー操作等を覚えることなく手の感覚で表示モードを指定する操作を覚えることができるとともに操作が簡単である。第１の表示モードを指定する回転角は第２の表示モードを指定する回転角より大きいので、回転角が大きくなるほどブラウジングが早くなるというように、回転角にブラウジング速度が対応しており、操作者にとってはより簡単にブラウジング操作を覚えることができる。
【００１３】
請求項３に記載の発明は、請求項１に記載の画像表示装置において、前記表示手段はさらに前記画像記録媒体の全ての画像ファイルの画像データを順次表示する第２の表示モードを有し、第２の表示モードに遷移させる操作を行う送りキーと第１の表示モードに遷移させる操作を行う早送りキーとを備えた構成とする。
【００１４】
上記構成においては、送りキーを操作すると第２の表示モードによるブラウジングが行われ、早送りキーを操作すると第１の表示モードによるより高速のブラウジングが行われることになる。
【００１９】
請求項４に記載の発明は、請求項１乃至３いずれかに記載の画像表示装置において、第１の表示モードにおいて前記タグ情報に基づいて前回に撮影された画像ファイルとの撮影間隔が所定時間より長い画像ファイルが選択される構成とする。
【００２０】
上記構成においては、連写画像データがたくさんある場合など、その全てが表示されることなく、短時間で画像のブラウジングを行うことができる。
【００２１】
【発明の実施の形態】
〈第１の実施形態〉
図１に、本発明の第１の実施形態の画像表示装置を含む画像表示システムのブロック図を示す。画像表示装置の本体１には、デジタルカメラで撮影した画像が記録されているメモリカード８を装着するためのメモリカードスロット９、プリンタ１１やパーソナルコンピュータ（ＰＣ）１５を接続するためのＵＳＢポート１０が設けられている。
【００２２】
さらに、光磁気ディスクインターフェース１２が設けられており、これを介して光磁気ディスク１４を駆動するための光磁気ディスクドライブ１３が画像表示装置本体１に直接接続可能である。メモリカード８や光磁気ディスク１４に記録されている画像は、本体１の操作部７の各種スイッチ類を操作することにより、液晶からなる表示部６に表示される。表示部６には各種操作を行うための操作メニューも表示される。
【００２３】
画像表示装置本体１の制御は、データ処理部４内のＣＰＵがＲＯＭ２に格納されているプログラムを読み出し、このプログラムに基づき、メモリカードスロット９、ＵＳＢポート１０、光磁気インターフェース１２、グラフィックコントローラとＶＲＡＭ５を制御することにより行われる。
【００２４】
また、データ処理部４には、バックアップ電池１７で駆動されるリアルタイムクロック（ＲＴＣ）１６が接続されているので、データを処理した日付と時刻を光磁気ディスク１４やメモリカード８に記録できる。フラッシュメモリ１９には、光磁気ディスク１４への転送結果が記録される。
【００２５】
画像表示装置本体１は、電源部１８の電池によって電力が供給されるほか、図示しないＡＣアダプタによる電力供給も可能になっている。図２は、図１に示した画像表示システムの外観図を示した図である。
【００２６】
次に、メモリカード８内のデータ配列について説明する。図３は、メモリカード８内のデータ配列を模式的に示したものである。メモリカード８にはデジタルカメラによって撮影された４０コマからなる画像が記録されており、各コマはタグ８１の部分とＪＰＥＧ形式で圧縮された高解像度の画像データ（６４０×４８０画素）８２とサムネイル表示用の低解像度の画像データ（８０×６０画素）８３が記録されている。
【００２７】
各コマ単位で、たとえばＥＸＩＦ形式の画像ファイルとして扱うことが可能である。タグ８１には、撮影日のデータ、撮影時間のデータ、撮影時のフラッシュのオンオフのデータ等が格納されている。
【００２８】
次に、光磁気ディスク１４内のデータ配列について説明する。光磁気ディスク１４には、メモリカード８の画像データを転送して記録することができる。図４は、光磁気ディスク１４内のデータ配列を模式的に示したものである。画像ファイルには、記録順にNo.1、No.2、No.3、...No.n、...No.3000の番号が付与される。各ファイルは、メモリカード８と同様に高解像度画像データ１４２とサムネイル表示用の低解像度の画像データ１４３、さらにタグ情報１４１が記録される。
【００２９】
また、各画像ファイルを管理するためのファイル管理部１４４があり、ここには、全体のディレクトリ構造やファイルの番号とファイルの名称、ディレクトリを対応づけるためのテーブルが記録されている。
【００３０】
次に、本装置１の画像表示制御について説明する。尚、具体的には画像を１枚１枚表示する（ブラウジング）制御について説明する。図５は、光磁気ディスクドライブ１３が装着された本画像表示装置１の正面図である。電源ボタン７１、矢印キー７９１、７９２、７９３、７９４、メニューキー７７１、エンターキー７７２、高速逆転キー７２、逆転キー７３、停止キー７４、送りキー７５、早送りキー７６、ジョグシャトル７８が本体１の操作部７を構成している。
【００３１】
本体１に光磁気ディスクドライブ１３を装着し、本体１の電源ボタン７１を押しオンとすると、データ処理部４に接続されている本体ＲＯＭ２内のプログラムが読み出される。プログラム内の処理手順に従って、ＲＡＭ３等の初期化処理を行った後に、操作部７、メモリカードスロット９、ＵＳＢポート１０、光磁気ディスクインターフェース１２が使用可能になる。
【００３２】
その後、データ処理部６の制御下にあるグラフィックコントローラーとＶＲＡＭ５が制御され、表示部６に初期画面Ｄ１が表示される。尚、操作画面遷移の様子をフローチャートで図６に示す。画面Ｄ１では、矢印キー７９１、７９３を押すことによって、選択肢を順番に変更することが可能である。ブラウジングによる検索を行いたい場合は、操作者は、画面Ｄ１の選択肢の中で“1.画像の表示”を選択する。この状態で、エンターキー７７２を押すと、メディアの選択画面Ｄ２が表示される。
【００３３】
ここでは、光磁気ディスク１４、メモリカード８のうち装着されているものが選択されている。装着されていないデバイスは、選択不可にしてもかまわないし、表示方法を変更してもかまわない。たとえば、淡色で表示する方法が考えられる。また、本実施形態では、両方が装着されている場合は、光磁気ディスクが選択されているようになっているが、これをメモリカードに変更してもかまわない。操作者は、矢印キー７９１、７９３を押すことにより選択肢を変更できる。ここでは、最初に選択されている“11.光磁気ディスク”のままにしておくとする。
【００３４】
この状態で送りキー７５を押すと、ブラウジングモードとなり光磁気ディスク１４のファイルの中から高解像度の画像データが撮影日順に１コマ（１つの画像データ）毎に表示される（画面Ｄ４）。ブラウジングモードで停止キー７４を押すと、キー７４を押したときに表示されていた画像が表示されたままの状態になる。このようにして、操作者の目視判断で目的の画像を抽出できる。
【００３５】
一方、画面Ｄ２で早送りキー７６を押すと、光磁気ディスク１４のファイルの中から、同じ撮影日の一連のファイルの中で最も撮影時刻が早いもののみを撮影日順に１コマ毎に表示する高速ブラウジングモードとなる（画面Ｄ３）。高速ブラウジングモードでは、表示する画像データの数が削減されるので、ブラウジングモードよりも短時間でブラウジングができる。
【００３６】
ここで表示するのは、高解像度の画像データであるとしているが、サムネイル表示用の低解像度の画像データとしてもかまわない。この場合は、データを読み取るために要する時間が更に短くなり、さらに高速にブラウジングすることが可能である。
【００３７】
尚、サムネイルデータサイズが８０×６０（pixel）で、表示エリアが６４０×４８０（pixel）であるので、サムネイル用の画像データを表示する場合には、サムネイル画像を補間して拡大表示することにより視認性を高めるようにすることが望ましい。
【００３８】
高速ブラウジングモードで停止キー７４を押すと、キー７４を押したときに表示されていた画像が表示されたままの状態になる（画面Ｄ５）。このようにして、操作者の目視判断で目的の画像を抽出できる。画面Ｄ５でメニューキー７７１を押すと、画面Ｄ１に遷移する。また、画面Ｄ５で送りキー７５を押すとブラウジングモードになり、早送りキー７６を押すと高速ブラウジングモードになる。
【００３９】
高速ブラウジングモードにおいては、デフォルトでは、同じ撮影日の一連のファイルの中で最も撮影時刻が早いもののみを撮影日順に１コマ毎に表示するようになっているが、この高速ブラウジングオプションは変更可能である。以下、高速ブラウジングオプションの変更制御に関して説明する。
【００４０】
高速ブラウジングオプションを変更したい場合操作者は、画面Ｄ１で矢印キー７９１、７９３を操作することにより、“4.その他”を選択し表示画面を画面Ｄ６とする。そして、エンターキー７７２を押す。エンターキー７７２を押すと画面Ｄ７が表示される。画面Ｄ７と後述の画面Ｄ８で、操作者は高速ブラウジングオプションを選択する。まず画面Ｄ７で、矢印キー７９１、７９３を操作することにより、高速ブラウジングモードで表示する表示画像を決定するために用いるデータを選択する。
【００４１】
デフォルトでは“1.撮影日と時刻”となっている。画面Ｄ７で選択したデータを用いてどのように表示画像を決定するかは、画面Ｄ８で規定する。画面Ｄ７で“1.撮影日と時刻”を選択した状態でエンターキー７７２を押すと、画面Ｄ８が表示される。ここでは、“同一撮影日の最初の画像のみを表示する”又は“撮影間隔が５秒以上の画像のみを表示する”のいずれかを選択する。
【００４２】
デフォルトでは“同一撮影日の最初の画像のみを表示する”が選択されている。光磁気媒体１４内の画像ファイルのファイル番号、撮影日、撮影時刻とデフォルトの状態と同じ高速ブラウジングオプションが選択されている状態での高速ブラウジングモードにおける表示の有無の一例を表１に示す。この場合は、画像ファイル番号１５６、１６０、１６１の画像ファイルの画像データのみを表示する。
【００４３】
【表１】
0004025856.tif 000002
【００４４】
次に、高速ブラウジングオプションがデフォルトの状態と同じである場合（同一撮影日の最初の画像のみを表示する）の画面Ｄ３で実施される高速ブラウジングモードの処理フローについて説明する。図７に、処理フローを図示する。このフローは、画面Ｄ３に移る前の画面から始まる。
【００４５】
画面Ｄ３へは、画面Ｄ２又は画面Ｄ５から遷移することになる。Ｓ１０で高速ブラウジングモードに入る操作がなされた（現在の）画面が画面Ｄ２か画面Ｄ５かを判別する。画面Ｄ２の場合は、Ｓ２０で読み込む画像データの画像ファイル番号を指定するカウンタｋを１にセットする。画面Ｄ５であれば、Ｓ３０で画面Ｄ５で表示されている画像データの画像ファイル番号の次の番号ｋcをｋにセットする。そして、Ｓ４０でNo.kの画像ファイルのタグＴkを読み取る。
【００４６】
Ｓ５０では、ｋ＝１か否かを判別し、ｋ＝１の場合はＳ６０でNo.1の画像ファイルの画像データを表示する。ｋ＝１でない場合は、Ｓ７０でNo.kの画像ファイルの画像データの撮影日Ｄａｔｅ（Ｔk）がNo.k-1の画像ファイルの画像データの撮影日Ｄａｔｅ（Ｔk-1）と等しいか否かを判別する。等しくない場合は、Ｓ６０でNo.kの画像データを表示する。等しい場合は、画像データの読み込みと表示をすることなくＳ８０へ進む。Ｓ６０で画像データを表示した場合も、Ｓ８０へ進む。
【００４７】
Ｓ８０では、No.k+1の画像ファイルがあるか否かを判別する。ない場合は、表示データがないのでＳ１８０へ進み高速ブラウジングモード終了とする。ある場合は、表示データがあるのでＳ９０へ進み、ｋにｋ＋１を設定してＳ４０〜Ｓ８０の処理を繰り返す。
【００４８】
次に、高速ブラウジングオプションで“撮影間隔が５秒以上の画像のみを表示する”が選択されている場合の高速ブラウジングモードの処理について説明する。まず、表２に画像ファイル番号、撮影日、撮影時刻、このオプションの場合の表示の有無の一例を示す。この場合は、画像ファイル番号１５６、１５７、１６０、１６１、１６２の画像のみを表示する。
【００４９】
【表２】
0004025856.tif 000003
【００５０】
このオプションにおける制御について、図８に処理フローを図示して説明する。このフローは、画面Ｄ３に移る前の画面から始まる。図８において、図７に示した処理フローと同一の処理を行うステップについては同一のステップ番号を付してある。図７とは、Ｓ７０の代わりにＳ１９０を行う点のみが異なる。
【００５１】
Ｓ１９０では、No.kの画像ファイルの画像データの撮影時刻Ｔｉｍｅ（Ｔk）とNo.k-1の画像ファイルの画像データの撮影時刻Ｔｉｍｅ（Ｔk-1）の差が５秒未満か否かを判別し、５秒未満でなければ（５秒以上であれば）Ｓ６０でNo.kの画像データを表示する。一方、５秒未満であれば、No.kの画像を表示することなくＳ８０へ進む。その他のステップは、図８の各ステップと同じ処理内容なので説明を省略する。尚、画面Ｄ８で選択される“撮影間隔が５秒以上の画像のみを表示する”の５秒は任意に変更可能である。
【００５２】
〈第２の実施形態〉
本実施形態の画像表示装置の基本構成や制御内容は第１の実施形態と同様であるが、高速ブラウジングモードに加えて超高速ブラウジングモードを有する点のみが異なる。各ブラウジングモードへの切り替え指示は、ジョグシャトル７８又はジョグシャトル７８と操作部７のキーを用いて行うことができる。図９に、ジョグシャトル７８の詳細な正面図を示す。
【００５３】
ジョグシャトル７８は、外部回転輪７８１と内部回転部７８２とからなる。外部回転輪７８１は、回転角に応じて次のキーと同等の機能を持つ。
＋１０゜〜＋３０゜：送りキー７５
＋５０゜〜＋７０゜：早送りキー７６
−１０゜〜−３０゜：逆転キー７３
−５０゜〜−７０゜：高速逆転キー７２
【００５４】
また、＋９０゜〜＋１１０゜、−９０゜〜−１１０゜への回転も可能である。外部回転輪７８１はバネ付勢されており、指で回転状態を保持しない限り０゜の位置にある。
【００５５】
内部回転部７８２には、指をかけるための凹み７８３があり、３０゜毎にクリックストップと接点がある。画面Ｄ５で画像が表示されているときに、内部回転部７８２を＋方向に１単位回転させると１つ後のコマ（画像ファイル番号）の画像を表示する。また、−方向に１単位回転させると１つ前のコマ（画像ファイル番号）の画像を表示する。
【００５６】
本実施形態では、画面Ｄ２（図６参照）から各ブラウジングモードに移行する際にジョグシャトル７８が使用されている時は図１０に示すフローとなる。尚、操作部７のキーが使用されている時は第１の実施形態と同様の処理を行う。つまり、図６に示したように画面は遷移する。ジョグシャトル７８が操作されると、図８のＳ１００で、その外部回転輪７８の回転角が何度であるかを判別する。
【００５７】
回転角が＋１０゜〜＋３０゜の場合は、ブラウジングモードとなりＳ１１０で連続表示を行う（図６の画面Ｄ４と同等の表示となる）。回転角が＋５０゜〜＋７０゜の場合は高速ブラウジングモードとなり、Ｓ１２０で光磁気ディスク１４の画像ファイルのうち同一撮影日の撮影時刻が最も早いものの高解像度画像データのみを撮影日順に１コマ毎表示する（図７の処理フローと同一の処理を行う）。
【００５８】
回転角が＋９０゜〜＋１１０゜の場合は、超高速ブラウジングモードとなり、Ｓ１３０で、画像表示を行う。尚、Ｓ１３０での処理の手順そのものはＳ１２０と同じであるが、図７のＳ６０で画像表示を行う際に、画像ファイルの中からサムネイル画像データを読みだし表示部６の画面に合わせて補間処理を行った上で表示する点が異なる。この場合は、サムネイル画像データを表示するので、ファイル読みだしにかかる時間を大幅に短縮でき、ブラウジングをさらに高速で行える。
【００５９】
回転角が−１０゜〜−３０゜、−５０゜〜−７０゜、−９０゜〜−１１０゜の場合は、それぞれＳ１４０、Ｓ１５０、Ｓ１６０へ進む。Ｓ１４０、Ｓ１５０、Ｓ１６０では、それぞれに対応するＳ１１０、Ｓ１２０、Ｓ１３０の逆転表示を行う。具体的な処理としては、Ｓ１５０の場合は、図７の処理フローのＳ９０で示したインクリメント処理をデクリメント処理に変更して図７と同様の処理を行う。尚、回転角が−１０゜〜−１１０゜又は＋１０゜〜＋１１０゜に該当しない場合は、Ｓ１７０へ進み表示画像を変えることなくそのままの状態にする。
【００６０】
〈第３の実施形態〉
第２の実施形態では、超高速ブラウジングモードにおける画像表示を、サムネイル画像を読みだし表示することにより行っていたが、画像ファイルフォーマットによっては、画像データに対応するサムネイル画像がない場合もある。本実施形態では、そのような場合に、高解像度画像データの先頭部分あるいは中央部分あるいは後端部分などの一部を表示することにより、超高速ブラウジングモードとする。画像表示装置の構成、その他の処理内容等は第２の実施形態と同様であるので説明を省略する。
【００６１】
尚、画像データの先頭部分、中央部分、後端部分の表示とは、それぞれ表示画像の上部、中央部、下部のみが画像データに基づく表示がなされることをいう。尚、画像データの一部を表示する代わりに画像データを間引いて表示することにより、超高速ブラウジングモードとしてもよい。このような表示方法によると、全画像を表示する場合より、読み込むデータ数が少なくて済み高速表示が達成される。
【００６２】
〈第４の実施形態〉
本実施形態では、図６の画面Ｄ８の選択項目で“撮影間隔が５秒以上の画像のみを表示する”が選択されている場合には、高速ブラウジングモードでは、撮影間隔が５秒以上の画像のみを表示し、超高速ブラウジングモードでは同一撮影日の最初の画像のみを表示するようにする。
【００６３】
この場合、図１０の処理フローのＳ１２０では高速ブラウジングモードの図８に示す処理を行い、Ｓ１３０では高速ブラウジングモードの図７に示す処理を行うようにする。画像表示装置の構成、その他の処理内容等は第２の実施形態と同様であるので説明を省略する。
【００６４】
上記第２〜第４の実施形態は、いずれもブラウジングモード、高速ブラウジングモード、超高速ブラウジングモードの３種類のブラウジングモードを有する画像表示装置であるが、高速ブラウジングモードと超高速ブラウジングモードにおける表示画像の選択基準は上記のものに限らない。例えば、高速ブラウジングモードでは、月毎の最初の画像ファイルの画像データを、超高速ブラウジングモードでは、年毎の最初の画像ファイルの画像データを表示するという選択基準を設けた構成としてもよい。また、いくつかの選択基準の中から操作者が選択できるような構成としてもよい。
【００６５】
【発明の効果】
本発明の画像表示装置によると、目的の画像ファイルの抽出を短時間でかつ正確に行うことができる。また、キー情報が付与されている必要がないので、デジタルカメラにより撮影を行う場合は、キー情報付与の手間が省ける。
【図面の簡単な説明】
【図１】  第１の実施形態の画像表示装置を含む画像表示システムのブロック図。
【図２】  図１の画像表示システムの外観図。
【図３】  メモリカード内のデータ配列の模式図。
【図４】  光磁気ディスク内のデータ配列の模式図。
【図５】  画像表示装置の正面図。
【図６】  操作画面遷移の様子を示したフローチャート。
【図７】  高速ブラウジングモードにおける処理フローの一例を示した図。
【図８】  高速ブラウジングモードにおける処理フローの他の例を示した図。
【図９】  ジョグシャトルの詳細な正面図。
【図１０】  第２の実施形態においてジョウグシャトルが操作された場合の処理フローを示した図。
【符号の説明】
１    画像表示装置
２    ＲＯＭ
３    ＲＡＭ
４    データ処理部
５    グラフィックコントローラ
６    表示部
７    操作部
８    メモリカード
９    メモリカードスロット
１０  ＵＳＢポート
１１  プリンタ
１２  光磁気ディスクドライブインターフェース
１３  光磁気ディスクドライブ
１４  光磁気ディスク
１５  ＰＣ
１６  ＲＴＣ
１７  バックアップ電池
１８  電源部
１９  フラッシュメモリ
７８  ジョグシャトル
【図１】
0004025856.tif 000004
【図２】
0004025856.tif 000005
【図３】
0004025856.tif 000006
【図４】
0004025856.tif 000007
【図５】
0004025856.tif 000008
【図６】
0004025856.tif 000009
【図７】
0004025856.tif 000010
【図８】
0004025856.tif 000011
【図９】
0004025856.tif 000012
【図１０】
0004025856.tif 000013